(57)【特許請求の範囲】
【請求項１】
第１の通信方式のブロードキャスト情報を受信する受信手段と、
前記受信されたブロードキャスト情報の電波強度を検出する検出手段と、
前記検出された電波強度に基づいて、前記第１の通信方式より近距離通信方式である第２の通信方式の通信の有効又は無効を制御する制御手段と、を備え、
前記制御手段は、前記検出された電波強度が前記第２の通信方式の通信距離に基づいて設定された第１の閾値以上である場合に、第２の通信方式の通信を有効に制御し、前記検出された電波強度が前記第１の閾値よりも小さい第２の閾値より小さい場合に、第２の通信方式の通信を無効に制御する通信装置。
【請求項２】
前記制御手段は、前記受信されたブロードキャスト情報に対応する情報が第２の通信方式の通信を使用するか否かを判別し、第２の通信方式の通信を使用する場合に、前記検出された電波強度に基づいて、第２の通信方式の通信の有効又は無効を制御する請求項１に記載の通信装置。
【請求項３】
前記制御手段は、当該通信装置が特定の条件を満たすか否かを判別し、当該特定の条件を満たす場合に、前記検出された電波強度に基づいて、第２の通信方式の通信の有効又は無効を制御する請求項１に記載の通信装置。
【請求項４】
前記特定の条件は、特定の言語対応であり、
前記制御手段は、前記通信装置が特定の言語に対応している場合、前記検出された電波強度に基づいて、第２の通信方式の通信の有効又は無効を制御する請求項３に記載の通信装置。
【請求項５】
前記第２の通信方式は、ＮＦＣ通信方式であり、
前記第１の閾値は、前記第２の通信方式による通信を行う可能性がある通信距離に基づいて設定されている請求項１に記載の通信装置。
【請求項６】
受信部を有する通信装置のコンピュータを、
第１の通信方式のブロードキャスト情報を前記受信部に受信させる受信手段、
前記受信されたブロードキャスト情報の電波強度を検出する検出手段、
前記検出された電波強度に基づいて、前記第１の通信方式より近距離通信方式である第２の通信方式の通信の有効及び無効を制御する制御手段、として機能させ、
前記制御手段は、前記検出された電波強度が前記第２の通信方式の通信距離に基づいて設定された第１の閾値以上である場合に第２の通信方式の通信を有効に制御し、前記検出された電波強度が前記第１の閾値よりも小さい第２の閾値より小さい場合に第２の通信方式の通信を無効に制御することを特徴とするプログラム。
【発明の詳細な説明】
【技術分野】
【０００１】
本発明は、通信装置及びプログラムに関する。
【背景技術】
【０００２】
従来、公共の場所等に設置され、広告を表示するディスプレイ装置が知られている。
【０００３】
また、上記ディスプレイ装置として、ＲＦＩＤ（Radio Frequency IDentification）モジュールを備え、消費者が使用者カードを近付けて認識させることにより、広告へのアクセスによる利益をＲＦＩＤの近距離無線通信によって使用者カードに提供するデジタル情報ディスプレイ装置が知られている（特許文献１参照）。
【先行技術文献】
【特許文献】
【０００４】
【特許文献１】特開２０１２−９８７３０号公報
【発明の概要】
【発明が解決しようとする課題】
【０００５】
近距離無線通信を行う携帯の装置としては、上記使用者カードとしてのＩＣカードだけでなく、近距離無線通信機能を有するスマートフォン等の通信装置がある。しかしながら、上記従来のデジタル情報ディスプレイ装置に通信装置を使用する場合に、通信装置で近距離通信を常に有効にさせておかなければならなかった。
【０００６】
本発明の課題は、所定の通信方式の通信を常に有効とすることを防ぐことである。
【課題を解決するための手段】
【０００７】
上記課題を解決するために、本発明の通信装置は、第１の通信方式のブロードキャスト情報を受信する受信手段と、前記受信されたブロードキャスト情報の電波強度を検出する検出手段と、前記検出された電波強度に基づいて、前記第１の通信方式より近距離通信方式である第２の通信方式の通信の有効又は無効を制御する制御手段と、を備え、前記制御手段は、前記検出された電波強度が前記第２の通信方式の通信距離に基づいて設定された第１の閾値以上である場合に、第２の通信方式の通信を有効に制御し、前記検出された電波強度が前記第１の閾値よりも小さい第２の閾値より小さい場合に、第２の通信方式の通信を無効に制御する。
【発明の効果】
【０００８】
本発明によれば、所定の第２の通信方式の通信を常に有効とすることを防ぐができる。
【図面の簡単な説明】
【０００９】
【図１】本発明に係る実施の形態の無線通信システムを示すブロック図である。
【図２】通信装置の機能構成を示すブロック図である。
【図３】ビーコンのBluetooth通信の電波強度に応じた第１、第２、第３の領域を示す図である。
【図４】第１のＮＦＣ通信設定処理を示すフローチャートである。
【図５】第２のＮＦＣ通信設定処理を示すフローチャートである。
【図６】第３のＮＦＣ通信設定処理を示すフローチャートである。
【発明を実施するための形態】
【００１０】
以下、添付図面を参照して本発明に係る第１〜第３の実施の形態を詳細に説明する。なお、本発明は、図示例に限定されるものではない。
【００１１】
（第１の実施の形態）
図１〜図４を参照して、本発明に係る第１の実施の形態を説明する。先ず、図１及び図２を参照して、本実施の形態の装置構成を説明する。図１は、本実施の形態の無線通信システム１を示すブロック図である。図２は、通信装置１０の機能構成を示すブロック図である。
【００１２】
図１に示すように、本実施の形態の無線通信システム１は、通信装置１０と、ビーコン３０と、を備える。ビーコン３０は、電車やバス等の公共交通機関内部、駅、ショッピングモール等の公共の場所や、店舗内等に設置され、広告情報の配信を行う通信装置である。ビーコン３０は、少なくとも２つの無線通信方式の通信を行う。本実施の形態では、Bluetooth（登録商標） LE（Low Energy）（以下、Bluetoothという）の通信方式と、ＮＦＣ（Near Field Communication）の通信方式との、無線通信を行う構成として説明するが、これらの通信方式に限定されるものではない。
【００１３】
Bluetoothは、使用周波数帯が２．４［ＧＨｚ］帯で電波の送受信による無線通信規格であり、その通信距離が２．５ｍ〜５０ｍである。ＮＦＣは、使用周波数が１３．５６［ＭＨｚ］の電磁界を介する無線通信規格であり、通信距離が数ｃｍ〜１ｍ程度である。
【００１４】
通信装置１０は、ビーコン３０と同じ、少なくとも２つの無線通信方式の機能を有する通信装置である。本実施の形態では、通信装置１０は、Bluetooth及びＮＦＣの通信機能を有するものとする。また、通信装置１０は、広告情報の配信先としてのユーザが所持するスマートフォンであるものとして説明するが、これに限定されるものではなく、タブレットＰＣ（Personal Computer）、携帯電話機、ＰＤＡ（Personal Digital Assistant）等、他の通信装置としてもよい。
【００１５】
ビーコン３０は、Bluetooth通信により、自機の識別情報を含むビーコン情報をブロードキャスト送信する。また、ビーコン３０は、ＮＦＣ通信により、自機付近に来たユーザへのクーポン情報等の提供情報を通信装置１０に送信する。
【００１６】
通信装置１０は、Bluetooth通信により、ビーコン３０からビーコン情報を受信する。また、通信装置１０は、受信したビーコン情報の電波強度に応じて、ＮＦＣ通信（ＮＦＣ通信機能）を有効に設定にし、ビーコン３０との通信を確立し、ＮＦＣ通信により、提供情報をビーコン３０から受信する。
【００１７】
次いで、図２を参照して、通信装置１０の機能構成を説明する。図２に示すように、通信装置１０は、制御手段としてのＣＰＵ（Central Processing Unit）１１と、操作部１２と、ＲＡＭ（Random Access Memory）１３と、表示部１４と、記憶部１５と、通信手段としてのＮＦＣ通信部１６と、受信手段としてのBluetooth通信部１７と、モバイル通信部１８と、通話部１９と、電源部２０と、を備える。通信装置１０の各部は、バス２１を介して接続されている。
【００１８】
ＣＰＵ１１は、通信装置１０の各部を制御する。ＣＰＵ１１は、記憶部１５に記憶されているシステムプログラム及びアプリケーションプログラムのうち、指定されたプログラムを読み出してＲＡＭ１３に展開し、当該プログラムとの協働で、各種処理を実行する。
【００１９】
操作部１２は、タッチパネル及びボタンを有し、キー入力及び位置入力を受け付け、ユーザのタッチ入力、ボタン押下入力を受け付け、その操作情報をＣＰＵ１１に出力する。ＲＡＭ１３は、揮発性の半導体メモリであり、各種のデータやプログラムを一時的に格納するワークエリアを形成する。
【００２０】
表示部１４は、ＬＣＤ（Liquid Crystal Display）、ＥＬ（ElectroLuminescent）ディスプレイ等で構成され、ＣＰＵ１１から指示された表示情報に従い各種表示を行う。また、表示部１４の表示画面上に、操作部１２のタッチパネルが配置される。
【００２１】
記憶部１５は、フラッシュメモリ、ＥＥＰＲＯＭ（Electrically Erasable Programmable ROM）等により構成され、情報の読み出し及び書き込みが可能な半導体メモリである。記憶部１５には、後述する第１のＮＦＣ通信設定プログラム１５１及び第１のアプリケーションプログラムが記憶されている。
【００２２】
ＮＦＣ通信部１６は、ＮＦＣ通信用のコイルアンテナ、変復調回路、信号処理回路等により構成され、ＣＰＵ１１の指示に従い、外部機器とのＮＦＣの通信方式の無線通信を行う。また、ＮＦＣ通信部１６は、ＣＰＵ１１のＮＦＣ通信の有効又は無効の指示に従い、オン又はオフされる。ＮＦＣ通信部１６がオンされると、ＮＦＣ通信部１６にＮＦＣ通信を行うための電力が供給され、ＮＦＣ通信が可能となる。ＮＦＣ通信部１６がオフされると、ＮＦＣ通信を行うことができなくなり、消費電力も低減する。
【００２３】
Bluetooth通信部１７は、Bluetooth通信用のアンテナ、変復調回路、信号処理回路等により構成され、ＣＰＵ１１の指示に従い、外部機器とのBluetoothの通信方式の無線通信を行う。また、Bluetooth通信部１７は、受信したBluetooth通信の電波の電波強度を検出し、その検出情報をＣＰＵ１１に出力する機能を有する。
【００２４】
モバイル通信部１８は、Ｗ−ＣＤＭＡ（Wideband Code Division Multiple Access）、ＬＴＥ（Long Term Evolution）等のモバイル通信（携帯電話通信）用のアンテナ、変復調回路、信号処理回路等により構成され、ＣＰＵ１１の指示に従い、基地局等の外部機器とのモバイル通信方式の無線通信を行う。
【００２５】
通話部１９は、マイク、アンプ、スピーカ等を備え、ＣＰＵ１１の指示に従い、マイクによりユーザの音声の入力を受け付け、アンプ、スピーカ、によりユーザ及び通話先の音声を出力する。電源部２０は、通信装置１０内の各部に電源供給する二次電池又は一次電池の等の電源部である。
【００２６】
通信装置１０は、上記の構成に限定されるものではなく、例えば、撮像部、ＧＰＳ（Global Positioning System）、無線ＬＡＮ（Local Area Network）の通信部等、他の構成要素をさらに有する構成としてもよい。
【００２７】
次に、図３及び図４を参照して無線通信システム１の動作を説明する。図３は、ビーコン３０のBluetooth通信の電波強度に応じた領域Ａ，Ｂ，Ｃを示す図である。図４は、第１のＮＦＣ通信設定処理を示すフローチャートである。
【００２８】
先ず、図３を参照して、ビーコン３０のBluetooth通信の電波強度に応じた領域Ａ，Ｂ，Ｃを説明する。図３に示すように、ビーコン３０の位置を中心として、同心円状に領域Ａ，Ｂ，Ｃを設定する。ＮＦＣ通信は、通信距離が短い。このため、領域Ａを、ビーコン３０から近くＮＦＣ通信を行う可能性がある領域であって、通信装置１０において、ＮＦＣの通信を自動的に有効化する領域とする。領域Ｂを、通信装置１０において、ビーコン３０に接近中又はビーコン３０から離脱中を示し、ＮＦＣの通信設定を保留とする領域とする。領域Ｃを、ビーコン３０から遠くＮＦＣ通信を行う可能性がない領域であって、通信装置１０において、ＮＦＣの通信を自動的に無効化する領域とする。
【００２９】
領域Ａ，Ｂの境界の位置におけるビーコン３０からのBluetooth通信の電波の電波強度を、電波強度ａとする。領域Ｂ，Ｃの境界の位置におけるビーコン３０からのBluetooth通信の電波の電波強度を、電波強度ｂとする。領域Ｃでビーコン３０からの距離が最も遠い位置におけるBluetooth通信の電波の電波強度を、電波強度ｃとする。
【００３０】
ビーコン３０からブロードキャスト送信されるビーコン情報の電波は、距離が大きくなるにつれて、電波強度が小さくなる。このため、電波強度ａ，ｂ，ｃは、ａ＞ｂ＞ｃの関係を有する。
【００３１】
次いで、図４を参照して、通信装置１０で実行される第１のＮＦＣ通信設定処理を説明する。先ず、ＣＰＵ１１により第１のアプリケーションプログラムが実行されるものとする。第１のアプリケーションプログラムは、例えば、ＮＦＣ通信が有効に設定された場合に、ＮＦＣ通信部１６を用いるＮＦＣ通信により、ビーコン３０が提供するクーポン情報の取得が可能となる機能を有するものとする。
【００３２】
第１のＮＦＣ通信設定処理は、第１のアプリケーションプログラムの起動中に、Bluetooth通信の電波強度に応じて、ＮＦＣ通信の有効又は無効を設定する処理であり、所定周期で繰り返し実行されるものとする。予め、通信装置１０において、操作部１２へのユーザ操作により、第１のアプリケーションプログラムが起動されているものとする。
【００３３】
通信装置１０において、上記所定周期の実行タイミングとなったことをトリガとして、ＣＰＵ１１は、記憶部１５から読み出されて適宜ＲＡＭ１３に展開された第１のＮＦＣ通信設定プログラム１５１との協働で、第１のＮＦＣ通信設定処理を実行する。
【００３４】
先ず、ＣＰＵ１１は、検出されたBluetooth通信の電波強度ｘをBluetooth通信部１７から取得し、電波強度ｘが電波強度ａ以上か、電波強度ｘが電波強度ｂより小さいか、又は電波強度ｘが電波強度ａより小さく電波強度ｂ以上かを判別する（ステップＳ１１）。電波強度ｘが電波強度ａより小さく電波強度ｂ以上である場合（ステップＳ１１；ａ＞ｘ≧ｂ）、第１のＮＦＣ通信設定処理が終了する。
【００３５】
電波強度ｘが電波強度ａ以上である場合（ステップＳ１１；ｘ≧ａ）、ＣＰＵ１１は、ＮＦＣ通信部１６をオンにしてのＮＦＣ通信を有効に設定し（ステップＳ１２）、第１のＮＦＣ通信設定処理を終了する。電波強度ｘが電波強度ｂより小さい場合（ステップＳ１１；ｘ＜ｂ）、ＣＰＵ１１は、ＮＦＣ通信部１６をオフにしてＮＦＣ通信を無効に設定し（ステップＳ１３）、第１のＮＦＣ通信設定処理を終了する。
【００３６】
例えば、第１のＮＦＣ通信設定処理により、図３において、通信装置１０を所持するユーザが領域Ｃの位置Ｃ１にいると、ＮＦＣ通信が無効に設定され、ユーザが領域Ｂの位置Ｂ１に進むと、ＮＦＣ通信の設定が保留され無効のままとされる。そして、ユーザが領域Ａに入ると、ＮＦＣ通信が有効に設定され、位置Ａ１で通信装置１０がビーコン３０に近接され、通信装置１０は、第１のアプリケーションプログラムにより、ＮＦＣ通信を介して、クーポン情報をビーコン３０から受信する。そして、ユーザが領域Ｂの位置Ｂ１に進むと、ＮＦＣ通信の設定が保留され有効のままとされる。そして、ユーザが領域Ｃに入ると、ＮＦＣ通信が無効に設定される。
【００３７】
以上、本実施の形態によれば、通信装置１０は、Bluetooth通信のブロードキャスト情報としてのビーコン情報をビーコン３０から受信し、受信されたビーコン情報の電波強度を検出するBluetooth通信部１７を備え、ＣＰＵ１１が、検出された電波強度に基づいて、ＮＦＣ通信を有効又は無効に制御する。このため、所定のＮＦＣ通信方式のＮＦＣ通信を常に有効とすることを防ぐことができる。また、ＮＦＣ通信のためのＮＦＣ通信部１６が常に有効になることを防いで、消費電力を低減できる。
【００３８】
また、ＣＰＵ１１が、検出された電波強度ｘが第１の閾値であるａ以上である場合に、ＮＦＣ通信を有効に制御し、検出された電波強度ｘが、ａよりも小さい第２の閾値であるｂよりも小さい場合に、ＮＦＣ通信を無効に制御する。このため、ｘ≧ａであるビーコン３０に近い領域Ａで確実にＮＦＣ通信を有効にでき、ｘ＜ｂであるビーコン３０から遠い領域Ｃで確実にＮＦＣ通信を無効にできるとともに、ａ＞ｘ≧ｂに対応する領域Ｂで、ＮＦＣ通信の設定を保留にでき、領域の境界上を移動する場合等に、ＮＦＣ通信の有効及び無効が頻繁に切り替わることを防ぐことができる。
【００３９】
（第２の実施の形態）
図５を参照して、本発明に係る第２の実施の形態を説明する。図５は、第２のＮＦＣ通信設定処理を示すフローチャートである。
【００４０】
本実施の形態では、第１の実施の形態と同様に、無線通信システム１を用いるものとする。但し、通信装置１０の記憶部１５には、第１のＮＦＣ通信設定プログラム１５１及び第１のアプリケーションプログラムに代えて、第２のＮＦＣ通信設定プログラム及び第２のアプリケーションプログラムが記憶されているものとする。
【００４１】
次に、図５を参照して無線通信システム１の動作を説明する。第２のアプリケーションプログラムは、例えば、ビーコン３０からビーコン情報が受信されると、モバイル通信部１８を用いるモバイル通信により、当該ビーコン情報中のビーコンの識別情報に対応する広告情報をサーバ（図示略）に要求して受信して表示部１４に表示し、ＮＦＣ通信が有効に設定された場合に、ＮＦＣ通信部１６を用いるＮＦＣ通信により、当該識別情報のビーコン３０が提供する広告情報閲覧に対応するクーポン情報の取得が可能となる機能を有するものとする。
【００４２】
また、ビーコン情報には、ビーコンの識別情報に加えて、広告情報がＮＦＣ通信を使用するものであるか否かを示すフラグ情報が含まれるものとする。
【００４３】
第２のＮＦＣ通信設定処理は、第２のアプリケーションプログラムの起動中に、ビーコン情報のフラグ情報と、Bluetooth通信の電波強度とに応じて、ＮＦＣ通信の有効又は無効を設定する処理であり、所定周期で繰り返し実行されるものとする。予め、通信装置１０において、操作部１２へのユーザ操作により、第２のアプリケーションプログラムが起動されているものとする。
【００４４】
通信装置１０において、上記所定周期の実行タイミングとなったことをトリガとして、ＣＰＵ１１は、記憶部１５から読み出されて適宜ＲＡＭ１３に展開された第２のＮＦＣ通信設定プログラムとの協働で、第２のＮＦＣ通信設定処理を実行する。
【００４５】
図５に示すように、先ず、ＣＰＵ１１は、Bluetooth通信部１７を介してビーコン情報をビーコン３０から受信し、且つ受信したビーコン情報のフラグ情報を参照して広告情報がＮＦＣ通信を使用するものか否かを判別する（ステップＳ２１）。広告情報がＮＦＣ通信を使用するものでない場合（ステップＳ２１；ＮＯ）、第２のＮＦＣ通信が終了する。広告情報がＮＦＣ通信を使用するものである場合（ステップＳ２１；ＹＥＳ）、ステップＳ２２が実行される。ステップＳ２２〜Ｓ２４は、図４のステップＳ１１〜Ｓ１３と同様である。通信装置１０は、ＮＦＣ通信が有効に設定されると、ビーコン３０に近接され、第２のアプリケーションプログラムにより、ＮＦＣ通信を介して、広告情報に対応するクーポン情報をビーコン３０から受信する。
【００４６】
以上、本実施の形態によれば、ＣＰＵ１１は、受信されたビーコン情報に対応する広告情報がＮＦＣ通信を使用するか否かを判別し、ＮＦＣ通信を使用する場合に、検出された電波強度に基づいて、ＮＦＣ通信の有効又は無効を制御する。このため、ＮＦＣ通信を使用しない広告情報の受信において、不要なＮＦＣ通信を有効にすることを防ぐことができる。
【００４７】
（第３の実施の形態）
図６を参照して、本発明に係る第３の実施の形態を説明する。図６は、第３のＮＦＣ通信設定処理を示すフローチャートである。
【００４８】
本実施の形態では、第１の実施の形態と同様に、無線通信システム１を用いるものとする。但し、通信装置１０の記憶部１５には、第１のＮＦＣ通信設定プログラム１５１及び第１のアプリケーションプログラムに代えて、第３のＮＦＣ通信設定プログラム及び第３のアプリケーションプログラムが記憶されているものとする。
【００４９】
次に、図５を参照して無線通信システム１の動作を説明する。第３のアプリケーションプログラムは、例えば、ビーコン３０からビーコン情報が受信されると、モバイル通信部１８を用いるモバイル通信により、当該ビーコン情報のビーコンの識別情報に対応する所定言語の広告情報をサーバ（図示略）に要求して受信して表示部１４に表示し、ＮＦＣ通信が有効に設定された場合に、ＮＦＣ通信部１６を用いるＮＦＣ通信により、当該識別情報のビーコン３０が提供する広告情報閲覧に対応するクーポン情報の取得が可能となる機能を有するものとする。
【００５０】
また、ビーコン情報には、ビーコンの識別情報に加えて、広告情報がどの言語に対応するかを示す言語情報が含まれるものとする。また、操作部１２を介するユーザ操作等により、通信装置１０の記憶部１５には、自機が対応する言語を示す言語情報が設定され記憶されているものとする。
【００５１】
第３のＮＦＣ通信設定処理は、第３のアプリケーションプログラムの起動中に、特定の条件と、Bluetooth通信の電波強度とに応じて、ＮＦＣ通信の有効又は無効を設定する処理であり、所定周期で繰り返し実行されるものとする。予め、通信装置１０において、操作部１２へのユーザ操作により、第３のアプリケーションプログラムが起動されているものとする。
【００５２】
通信装置１０において、上記所定周期の実行タイミングとなったことをトリガとして、ＣＰＵ１１は、記憶部１５から読み出されて適宜ＲＡＭ１３に展開された第３のＮＦＣ通信設定プログラムとの協働で、第３のＮＦＣ通信設定処理を実行する。
【００５３】
図６に示すように、先ず、ＣＰＵ１１は、記憶部１５から言語情報を読み出し、Bluetooth通信部１７を介してビーコン情報をビーコン３０から受信し、且つ受信したビーコン情報の言語情報が、読み出した言語情報に対応するか否かを判別する（ステップＳ３１）。言語情報が対応しない場合（ステップＳ３１；ＮＯ）、第３のＮＦＣ通信が終了する。言語情報が対応する場合（ステップＳ３１；ＹＥＳ）、ステップＳ３２が実行される。ステップＳ３２〜Ｓ３４は、図４のステップＳ１１〜Ｓ１３と同様である。通信装置１０は、ＮＦＣ通信が有効に設定されると、第３のアプリケーションプログラムにより、ＮＦＣ通信を介して、広告情報に対応するクーポン情報をビーコン３０から受信する。
【００５４】
以上、本実施の形態によれば、ＣＰＵ１１は、通信装置１０が特定の条件を満たすか否かを判別し、特定の条件を満たす場合に、検出された電波強度に基づいて、ＮＦＣ通信の有効又は無効を制御する。特定の条件は、特定の言語対応であり、ＣＰＵ１１は、通信装置１０が特定の言語に対応している場合、検出された電波強度に基づいて、ＮＦＣ通信の有効又は無効を制御する。このため、ＮＦＣ通信を使用しない条件として言語情報が対応しない場合に、不要なＮＦＣ通信を有効にすることを防ぐことができる。
【００５５】
以上の説明では、本発明に係るプログラムのコンピュータ読み取り可能な媒体として記憶部１５のフラッシュメモリ等を使用した例を開示したが、この例に限定されない。その他のコンピュータ読み取り可能な媒体として、ＲＯＭや、ＣＤ−ＲＯＭ等の可搬型記録媒体を適用することが可能である。また、本発明に係るプログラムのデータを通信回線を介して提供する媒体として、キャリアウエーブ（搬送波）も本発明に適用される。
【００５６】
なお、上記実施の形態における記述は、本発明に係る通信装置及びプログラムの一例であり、これに限定されるものではない。
【００５７】
例えば、上記各実施の形態では、ＮＦＣ通信の有効／無効の設定が情報表示無しに自動的に行われる構成としたが、これに限定されるものではない。ＣＰＵ１１は、ＮＦＣ通信の有効／無効の設定を行った場合に、その設定の旨を示すポップアップ情報等の表示情報を表示部１４に表示させる構成としてもよい。
【００５８】
また、上記第２、第３の実施の形態では、広告情報をモバイル通信によりサーバに要求して受信する構成としたが、これに限定されるものではない。例えば、広告情報をＷｉ−ｆｉ等、他の通信方式の通信によりサーバに要求して受信する構成としてもよく、広告情報をBluetooth通信又はＮＦＣ通信によりビーコン３０又はビーコン３０に接続されたサーバに要求して受信する構成としてもよい。さらに、通信装置１０は、複数のビーコン３０に対応する広告情報を記憶部１５に予め記憶しておき、ビーコン情報を受信すると、当該ビーコン情報のビーコンの識別情報に応じた広告情報を記憶部１５から読み出して取得する構成としてもよい。
【００５９】
また、上記第３の実施の形態では、通信装置１０が特定の条件を満たすか否かとして、ＣＰＵ１１が、通信装置１０の言語情報が広告情報の言語情報に対応するか否かを判別したが、これに限定されるものではない。例えば、ＣＰＵ１１が、特定の条件として、通信装置１０のユーザがビーコン３０から受信したビーコン情報のビーコンの識別情報に対応するサービスに会員登録しているか否か、を判別し、会員登録している場合に、電波強度を判別する構成としてもよい。この例では、会員の通信装置１０のみがビーコン３０のＮＦＣ通信を使用してクーポン情報等を受信できるものとする。会員登録の判別に用いるビーコンの識別情報に対応するサービスの会員登録情報は、例えば、記憶部１５や、モバイル通信等で通信可能なサーバ上に記憶されており、通信装置１０により取得されるものとする。
【００６０】
また、ＣＰＵ１１が、特定の条件として、通信装置１０のユーザがビーコン３０から受信したビーコン情報に対応するサービスのポイントが所定値まで貯まっているか否か、を判別し、貯まっている場合に、電波強度を判別する構成としてもよい。この例では、ポイントが所定値まで貯まった通信装置１０のみがビーコン３０のＮＦＣ通信を使用して所定値のポイント引替用のクーポン情報等を受信できるものとする。ポイントの判別に用いるポイント情報は、例えば、記憶部１５や、モバイル通信等で通信可能なサーバ上に記憶されており、通信装置１０により取得されるものとする。
【００６１】
また、ＣＰＵ１１が、特定の条件として、通信装置１０にビーコン３０から受信したビーコン情報に対応する特定のアプリケーションプログラムがインストールされているか否か、を判別し、インストールされている場合に、電波強度を判別する構成としてもよい。この例では、特定のアプリケーションプログラムがＮＦＣ通信によりクーポン情報等をビーコン３０から受信できるものとする。特定のアプリケーションプログラムの判別に用いるインストール情報は、例えば、記憶部１５に記憶されているものとする。
【００６２】
また、上記各実施の形態では、ビーコン３０がBluetooth通信機能及びＮＦＣ通信機能を有する構成としたが、これに限定されるものではない。例えば、ビーコン３０がBluetooth通信機能を有し、ビーコン３０とは別に、ＮＦＣ通信機能を有するＮＦＣ通信装置が設けられる構成としてもよい。さらに、ビーコン３０とＮＦＣ通信装置とは別の場所に配置されていてもよい。例えば、図３の領域Ａ内の何れかの位置にＮＦＣ通信装置が配置され、通信装置１０が領域Ａにある場合に、ＮＦＣ通信装置とＮＦＣ通信を行う可能性があるものとされる。
【００６３】
また、上記実施の形態における無線通信システム１の各構成要素の細部構成及び細部動作に関しては、本発明の趣旨を逸脱することのない範囲で適宜変更可能であることは勿論である。
【００６４】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
第１の通信方式のブロードキャスト情報を受信する受信手段と、
前記受信されたブロードキャスト情報の電波強度を検出する検出手段と、
前記検出された電波強度に基づいて、第２の通信方式の通信の有効又は無効を制御する制御手段と、を備える通信装置。
＜請求項２＞
前記制御手段は、前記検出された電波強度が第１の閾値以上である場合に、第２の通信方式の通信を有効に制御し、前記検出された電波強度が前記第１の閾値よりも小さい第２の閾値より小さい場合に、第２の通信方式の通信を無効に制御する請求項１に記載の通信装置。
＜請求項３＞
前記制御手段は、前記受信されたブロードキャスト情報に対応する情報が第２の通信方式の通信を使用するか否かを判別し、第２の通信方式の通信を使用する場合に、前記検出された電波強度に基づいて、第２の通信方式の通信の有効又は無効を制御する請求項１又は２に記載の通信装置。
＜請求項４＞
前記制御手段は、当該通信装置が特定の条件を満たすか否かを判別し、当該特定の条件を満たす場合に、前記検出された電波強度に基づいて、第２の通信方式の通信の有効又は無効を制御する請求項１又は２に記載の通信装置。
＜請求項５＞
前記特定の条件は、特定の言語対応であり、
前記制御手段は、前記通信装置が特定の言語に対応している場合、前記検出された電波強度に基づいて、第２の通信方式の通信の有効又は無効を制御する請求項４に記載の通信装置。
＜請求項６＞
コンピュータを、
第１の通信方式のブロードキャスト情報を受信する受信手段、
前記受信されたブロードキャスト情報の電波強度を検出する検出手段、
前記検出された電波強度に基づいて、第２の通信方式の通信の有効及び無効を制御する制御手段、
として機能させるためのプログラム。
【符号の説明】
【００６５】
１  無線通信システム
１０  通信装置
１１  ＣＰＵ
１２  操作部
１３  ＲＡＭ
１４  表示部
１５  記憶部
１６  ＮＦＣ通信部
１７  Bluetooth通信部
１８  モバイル通信部
１９  通話部
２０  電源部
２１  バス
３０  ビーコン
【図１】
0006520267.tif 000002
【図２】
0006520267.tif 000003
【図３】
0006520267.tif 000004
【図４】
0006520267.tif 000005
【図５】
0006520267.tif 000006
【図６】
0006520267.tif 000007